(57)【要約】【課題】屋外に設置された換気装置から発生される音は給排気用の通風回路を経由してそのまま室内に伝播して騒音となること。【解決手段】分離型室内機２は据付装置１を介して取り付け面に固定され、据付板の内部に消音部９を有する給排気管７，８を内蔵し、給気管７に接続された給気パイプ３ａと排気管８に接続された排気パイプ３ｂは冷媒配管４と同様に貫通口５で取り付け面を貫通し、従来と変わらない室内設置スペースで騒音を抑えた換気装置を低コストで実現する。【選択図】  図１
2004263957.tif 000002
【特許請求の範囲】
【請求項１】
一面を開口した直方体形状の据付装置であって、開口部を分離式空気調和機の室内機の背面で塞ぐように構成し、装置内部に室外からの給気を室内空間に導入する給気管と、室内からの排気を導入する排気管及び前記給気管と排気管の収納空間を設け、さらに給排気に伴う騒音を削減する消音部を備えた分離式空気調和機の据付装置。
【請求項２】
給気を室内に吹き出すための開口部と排気を室内から吸い込むための開口部を、本体外周面に設けた請求項１記載の分離式空気調和機の据付装置。
【請求項３】
壁面を貫通して給気管及び排気管に接続される接続部を据付装置の略右端または略左端のどちらにでも設定できる請求項１または２記載の分離式空気調和機の据付装置。
【請求項４】
給気管と排気管で互いに熱交換可能なこと特徴とする請求項１〜３のいずれかに記載の分離式空気調和機の据付装置。
【請求項５】
全熱交換素子または顕熱交換素子を用いたことを特徴とする請求項４記載の分離式空気調和機の据付装置。
【請求項６】
給気管及び排気管のいずれか一方あるいは双方にエアフィルターを設けたこと特徴とする請求項１〜５のいずれかに記載の分離式空気調和機の据付装置。
【請求項７】
据付装置の空気調和機の据え付け面側に写真、ポスターなどの取りつけ部を設けたこと特徴とする請求項１〜６のいずれかに記載の分離式空気調和機の据付装置。
【発明の詳細な説明】
【０００１】
【発明の属する技術分野】
本発明は、分離式空気調和機の据付装置に関するものである。
【０００２】
【従来の技術】
従来、この種の据付装置は、図８に示すように、据付板３０１に空気調和機Ａを固定する固定部３０２と配管用貫通孔３０３、換気用貫通口３０４などによって形成され、据付面に設置されたものが知られている（例えば、特許文献１参照）。
【０００３】
さらに、近年空調機に換気機能を追加した商品が発売されているが、配管からの防音に対策を施した商品は見られない。
【０００４】
【特許文献１】
特開平２−１３０３３３号公報
【０００５】
【発明が解決しようとする課題】
上記従来の空気調和機の据付装置であると、給排気通路に関しては何ら防音処置がなされていないそのために屋外に設置された換気装置から発生される騒音は給排気用の通風回路を経由してそのまま室内に伝播して騒音源となっていた。本発明は上記従来の課題に鑑み、給排気用の通風路を経由して伝播する騒音を削減しより快適な室内環境を提供する物である。
【０００６】
【課題を解決するための手段】
前記従来の課題を解決するために、本発明は、分離式空気調和機の室内機と据付面との間に取りつけられ、その内部に室外からの給気を室内空間に導入する給気管と、室内からの排気を導入する排気管を設け、前記給気管と排気管を空間的に分離し、さらに給排気に伴う騒音を削減する消音部を備えた分離式空気調和機の据付装置であり、従来と変わらない室内設置スペースで騒音を抑えた換気装置を低コストで実現することができる。
【０００７】
【課題を解決するための手段】
前記従来の課題を解決するために、本発明は、一面を開口した直方体形状の据付装置であって、開口部を分離式空気調和機の室内機の背面で塞ぐように構成し、装置内部に室外からの給気を室内空間に導入する給気管と、室内からの排気を導入する排気管及び前記給気管と排気管の収納空間を設け、さらに給排気に伴う騒音を削減する消音部を備えた分離式空気調和機の据付装置で、従来と変わらない室内設置スペースで騒音を抑えた換気装置を低コストで実現することができる。
【０００８】
【発明の実施の形態】
以下本発明の実施の形態について、図面を参照しながら説明する。
【０００９】
（実施の形態１）
図１において、１は据付装置、２は室内機、３は給排気パイプ、４は内外接続パイプ、５は貫通口、６は開口部、１４はパッキンである。据付装置１は取り付け面（壁面）に固定され、室内機２は据付装置１を介して、壁面とは反対の取り付け面に固定されている。室内機２は室外機（図示せず）と一組の冷媒配管４で配管接続され、冷媒が室内機２、室外機からなる冷凍サイクルを循環し、冷房或いは暖房が行なわれる。冷媒配管４は貫通口５で壁面を貫通している。パッキン１４は据付装置１の開口部の周囲に設けられ据付装置１と室内機２との間の隙間を埋め、据付装置内部の空間に給排気管収納空間を設けるるように構成されている。
【００１０】
図２は、本発明の実施の形態１における据付装置の断面図である。３ａは給気パイプ、３ｂは排気パイプ、７は給気管、８は排気管、９は消音部、１０はフィルター、１３は給排気管収納スペースである。図２（ａ）はいわゆる左配管で室内機２の左側の背面に貫通口５を配置した設置方法で、図２（ｂ）はいわゆる右配管で室内機２の右側の背面に貫通口５を配置した設置方法である。いずれの設置の場合も据付装置１は取り付け方向を変えるだけで対応できるように構成されている。
【００１１】
給排気管収納スペース１３内に給気管７および排気管８が収納され、給気管７に接続された給気パイプ３ａと排気管８に接続された排気パイプ３ｂは冷媒配管４と同様に貫通口５で取り付け面を貫通している。給気管７は内部に消音部９を備え室外から伝播する騒音を吸収する機能を有している。また給気管７及び排気管８の室内側の開口部にはフィルター１０が備えられており、不要なゴミ、埃の流通を防止している。
【００１２】
給気パイプ３ａ、排気パイプ３ｂは室外に設置された換気用装置など（図示せず）と配管接続され、室外の空気が給気パイプ３ａより供給され給気管７を通過する。この際、消音部９の働きにより室外の換気装置などから伝播してくる騒音は大幅に低減されるため、室内にまで騒音が伝わる事はない。同時に室内の空気はフィルター１０でゴミなどが取り除かれ排気管８に吸い込まれ、排気パイプ３ｂを経て上記換気装置などから屋外へ排出される。消音部９に使用する材料は積層パンチングタル、発泡材など一般的なもので良い。また、消音部９の位置は給気管のみとしたが排気管に備えても良いし、給排気管両方に備えても良い。
【００１３】
かかる構成によれば、室外に換気装置などを設置して給排気を行なう際、給排気管を据付装置に接続して室内への給排気を行なうことにより、換気装置などからの騒音を屋内に伝播させることなく給排気が行なえる。またこの際、通常の室内機を設置するために使用していた貫通口を使用し、従来の据付版の代わりに上記据付装置を使用するので屋内には余分な設置スペースが必要ないため設置の自由度が格段に大きくなる。
【００１４】
さらに、これらの機器を設置する際には従来の分離式空調機を設置する際に使用する据付板の代わりに据付版型ダクトを取り付け、給排気用の配管を室外の換気装置本体に接続してから配管据付板内部の空間に納め、その次に通常の手順で室内機を据え付ければ良いので設置の作業性が非常に良い。
【００１５】
（実施の形態２）
図３は、本発明の実施の形態２における据付装置で、１１は顕熱交換素子である。図４はその顕熱交換素子の概略構成図である。１００Ａは回路Ａ、１００Ｂは回路Ｂ、１０１はセパレータ、１０２は顕熱交換膜で、回路Ａ、１００Ａと回路Ｂ、１００Ｂがセパレータ１０１と、顕熱交換膜１０２によって独立に構成されそれぞれが９０度の角度で顕熱交換膜１０２を介して接触しながら交差する構成となっている。
【００１６】
以下、実施の形態１と異なる部分を中心に構成を説明する。（実施の形態１と共通の部分は説明を省略する。）給気管７、排気管８はそれぞれ途中に備えられた顕熱交換素子１１の回路Ａ、１００Ａと回路Ｂ、１００Ｂに接続され顕熱交換膜１０２を介して隣り合う回路を形成している。この回路の内部を室外からの給気と室内からの排気が通過する際に顕熱交換が行なわれる。すなわち、冬季暖房運転時には，室内からの排気からの顕熱が室外からの給気に与えられ、夏季冷房運転時には室外からの給気からの顕熱が室内からの排気に与えられる。
【００１７】
かかる構成によれば、室外に換気装置などを設置して給排気を行なう際、給排気管を据付装置に接続して室内への給排気を行なうことにより、換気装置などからの騒音を屋内に伝播させることなく給排気が行なえる。またこの際、通常の室内機を設置するために使用していた貫通口を使用し、従来の据付版の代わりに上記据付板装置を使用するので屋内には余分な設置スペースが必要ないため設置の自由度が格段に大きくなるという実施の形態１の効果に加えて、給排気に伴い発生する顕熱ロスを回収しより少ないエネルギーでの給排気が可能になるという効果もえられる。
【００１８】
（実施の形態３）
図５は、本発明の実施の形態３における据付装置で、１２は全熱交換素子である。図６はその全熱交換素子の概略構成図である。１００Ａ、１００Ｂ、１０１は図４と共通である、１０３は全熱交換膜で、回路Ａ、１００Ａと回路Ｂ、１００Ｂがセパレータ１０１と、全熱交換膜１０３によって独立に構成され、それぞれが９０度の角度で全熱交換膜１０３を介して接触しながら交差する構成となっている。
【００１９】
以下、実施の形態１と異なる部分を中心に構成を説明する。（実施の形態１、２と共通の部分は説明を省略する。）給気管７、排気管８はそれぞれ途中に備えられた顕熱交換素子１１の回路Ａ、１００Ａと回路Ｂ、１００Ｂに接続され全熱交換膜１０３を介して隣り合う回路を形成している。この回路の内部を室外からの給気と室内からの排気が通過する際に全熱交換が行なわれる。すなわち、冬季暖房運転時には，室内からの排気からの顕熱が室外からの給気に与えられると同時に排気中の水分も給気に与えられる。夏季冷房運転時には室外からの給気からの顕熱が室内からの排気に与えられると共に給気中の水分も排気に与えられる。
【００２０】
かかる構成によれば、室外に換気装置などを設置して給排気を行なう際、給排気管を据付装置に接続して室内への給排気を行なうことにより、換気装置などからの騒音を屋内に伝播させることなく給排気が行なえる。またこの際、通常の室内機を設置するために使用していた貫通口を使用し、従来の据付版の代わりに上記据付板装置を使用するので屋内には余分な設置スペースが必要ないため設置の自由度が格段に大きくなるという実施の形態１の効果に加えて、給排気に伴い発生する顕熱ロスを回収しより少ないエネルギーでの給排気を可能にする。
【００２１】
さらに冬季の暖房運転時には排気により室内の水分が減少し乾燥することを防止すると共に、夏季の冷房運転時には給気により給気により室内に水分が持ち込まれ湿度が上昇するのを防止しより快適な室内環境を提供することが可能となるという効果もえられる。
【００２２】
上記実施の形態１〜３では、既存の分離型空調機が使用する貫通口を共用するようにしたが、専用の貫通口を新規に設けて使用してもよい。
【００２３】
（実施の形態４）
図７は本発明の実施の形態４における据付装置で、据付装置１のみが取り付け面に取り付けられている状況を示している。２０１は写真パネル取り付け部である。この構成の据付装置は室内機が取り付けられていない時、つまり据付装置１の前面が室内に露出している時、写真パネル取り付け部に写真などを入れて、据付装置のインテリア性を向上するものである。
【００２４】
かかる構成によれば、室外に換気装置などを設置して給排気を行なう際、給排気管を据付装置に接続して室内への給排気を行なうことにより、換気装置などからの騒音を屋内に伝播させることなく給排気が行なえる。またこの際、室内機を別の位置に設置するあるいは室内機を使用しない場合などのように，据付装置が室内に露出する際、装置前面の写真パネル取り付け部に写真などを入れて、据付装置のインテリア性を格段に向上する。
【００２５】
【発明の効果】
以上のように本発明の据付装置によれば、室外に換気装置などを設置して給排気を行なう際、給排気管を据付装置に接続して室内への給排気を行なうことにより、換気装置などからの騒音を屋内に伝播させることなく給排気が行なえる。またこの際、通常の室内機を設置するために使用していた貫通口を使用し、従来の据付板の代わりに上記据付装置を使用するので屋内には余分な設置スペースが必要ないため設置の自由度が格段に大きくなる。また給排気を熱交換させることにより熱ロスも削減することができる。
【図面の簡単な説明】
【図１】本発明の据付装置の配置構成図
【図２】本発明の実施の形態１における据付装置の断面図
【図３】本発明の実施の形態２における据付装置の断面図
【図４】本発明の顕熱交換素子の概略構成図
【図５】本発明の実施の形態３における据付装置の断面図
【図６】本発明の全熱交換素子の概略構成図
【図７】本発明の実施の形態４における据付装置の斜視図
【図８】従来の据付装置の構成図
【符号の説明】
１  据付装置
２  室内機
３ａ  給気パイプ
３ｂ  排気パイプ
６  開口部
７  給気管
８  排気管
９  消音部
１０  フィルター
１１  顕熱交換素子
１２  全熱交換素子
１３  給排気管収納スペース
１４  パッキン
２０１  写真パネル取り付け部
【図１】
2004263957.tif 000003
【図２】
2004263957.tif 000004
【図３】
2004263957.tif 000005
【図４】
2004263957.tif 000006
【図５】
2004263957.tif 000007
【図６】
2004263957.tif 000008
【図７】
2004263957.tif 000009
【図８】
2004263957.tif 000010